(57)【要約】【課題】映像コンテンツが乳幼児に適しているか否かをより正確に評価できる映像表示装置を提供する。【解決手段】映像表示装置１００は、カメラ２１と、ディスプレー３１と、制御部１０とを備える。カメラ２１は、乳幼児の顔画像を撮影して、顔画像を示す顔画像データを出力する。制御部１０は、複数の映像コンテンツ９１１の中から、選択した映像コンテンツ９１１をディスプレー３１に表示させる。制御部１０は、乳幼児の目線を示すデータに基づいて、ディスプレー３１に表示中の映像コンテンツ９１１を乳幼児が見ているか否かを判定する。制御部１０は、ディスプレー３１に表示中の映像コンテンツ９１１を乳幼児が見ていると判定すると、ディスプレー３１に表示中の映像コンテンツ９１１を乳幼児が見ている視聴時間を示すデータに基づいて、ディスプレー３１に表示中の映像コンテンツ９１１に対する乳幼児の興味度を評価する。【選択図】図１
2020118833.tif 000002
【特許請求の範囲】
【請求項１】
乳幼児の顔画像を撮影して、前記顔画像を示す顔画像データを出力するカメラと、
複数の映像コンテンツを示すデータを記憶する記憶部と、
前記複数の映像コンテンツのいずれかを表示するディスプレーと、
前記複数の映像コンテンツの中から、前記ディスプレーに表示させる前記映像コンテンツを選択し、選択した前記映像コンテンツを前記ディスプレーに表示させる制御部と
を備え、
前記制御部は、前記ディスプレーに前記映像コンテンツを表示させると、前記顔画像データに含まれる前記乳幼児の目線を示すデータを取得し、
前記制御部は、前記乳幼児の目線を示すデータに基づいて前記ディスプレーに表示中の前記映像コンテンツを前記乳幼児が見ているか否かを判定し、
前記制御部は、前記ディスプレーに表示中の前記映像コンテンツを前記乳幼児が見ていると判定すると、前記ディスプレーに表示中の前記映像コンテンツを前記乳幼児が見ている視聴時間をカウントし、
前記制御部は、前記視聴時間に基づいて、前記ディスプレーに表示中の前記映像コンテンツに対する前記乳幼児の興味度を評価する、映像表示装置。
【請求項２】
前記制御部は、前記興味度の高い順に前記映像コンテンツを選択する、請求項１に記載の映像表示装置。
【請求項３】
前記制御部は、前記ディスプレーに表示中の前記映像コンテンツの長さを示す尺時間と、前記視聴時間との視聴割合に基づいて前記興味度を評価する、請求項１又は請求項２に記載の映像表示装置。
【請求項４】
前記制御部は、前記ディスプレーに表示中の前記映像コンテンツが表示された表示時間と、前記視聴時間との視聴割合に基づいて前記興味度を評価する、請求項１又は請求項２に記載の映像表示装置。
【請求項５】
前記制御部は、前記視聴割合が高い程、前記興味度を高く評価する、請求項３又は請求項４に記載の映像表示装置。
【請求項６】
前記制御部は、前記乳幼児の目線を示すデータに基づいて、前記ディスプレーに表示中の前記映像コンテンツを前記乳幼児が見ていない非視聴時間をカウントし、前記非視聴時間が停止閾値以上になると、前記ディスプレーに表示中の前記映像コンテンツの表示を停止させる、請求項１〜請求項５のいずれか１項に記載の映像表示装置。
【請求項７】
前記制御部は、前記乳幼児の目線を示すデータに基づいて、前記乳幼児が入眠したか否かを判定し、
前記制御部は、前記乳幼児が入眠したと判定すると、前記乳幼児が入眠した時点で表示されていた前記映像コンテンツの表示が開始されたから前記乳幼児が入眠したと判定するまでの経過時間を示す入眠所要時間を取得し、
前記制御部は、前記入眠所要時間に基づいて、前記乳幼児が前記映像コンテンツを見ることにより入眠しやすい度合を示す入眠誘発度を評価する、請求項１〜請求項６のいずれか１項に記載の映像表示装置。
【請求項８】
前記記憶部は、前記乳幼児が就寝する就寝時刻を示すデータを記憶し、
前記制御部は、前記乳幼児が入眠したと判定すると、前記乳幼児の入眠時刻と前記就寝時刻とに基づいて前記入眠誘発度を評価する、請求項７に記載の映像表示装置。
【請求項９】
前記制御部は、前記入眠時刻が前記就寝時刻から離れているほど、前記入眠誘発度を高く評価する、請求項８に記載の映像表示装置。
【請求項１０】
前記制御部は、現在時刻と前記就寝時刻とが一致するか否かを判定し、
前記制御部は、前記現在時刻と前記就寝時刻とが一致すると判定すると、前記映像コンテンツが前記ディスプレーに表示されているか否かを判定し、
前記制御部は、前記ディスプレーに前記映像コンテンツが表示されていると判定すると、前記ディスプレーに表示中の前記映像コンテンツよりも前記入眠誘発度の高い前記映像コンテンツを選択する、請求項９に記載の映像表示装置。
【請求項１１】
前記記憶部は、前記乳幼児の睡眠時間を示す第１睡眠時間を示すデータを記憶し、
前記制御部は、前記映像コンテンツの表示中に前記乳幼児が入眠したと判定した場合において、前記乳幼児が入眠してから覚醒するまでの第２睡眠時間を取得し、
前記制御部は、前記第２睡眠時間が前記第１睡眠時間未満であるか否かを判定し、
前記制御部は、前記第２睡眠時間が前記第１睡眠時間未満であると判定すると、前記入眠誘発度が第１基準値よりも高い前記映像コンテンツを選択し、
前記制御部は、前記第２睡眠時間が前記第１睡眠時間未満ではないと判定すると、前記興味度が第２基準値よりも高い前記映像コンテンツを選択する、請求項７〜請求項１０のいずれか１項に記載の映像表示装置。
【請求項１２】
乳幼児の顔画像を撮影して、前記顔画像を示す顔画像データを取得する顔画像取得ステップと、
複数の映像コンテンツの中からディスプレーに表示させる前記映像コンテンツを選択する選択ステップと、
選択した前記映像コンテンツを前記ディスプレーに表示させる表示ステップと、
前記ディスプレーに表示された前記映像コンテンツを評価する評価ステップと
を含み、
前記評価ステップは、
前記顔画像データに含まれる前記乳幼児の目線を示すデータを取得する目線取得ステップと、
前記乳幼児の目線を示すデータに基づいて前記ディスプレーに表示中の前記映像コンテンツを前記乳幼児が見ているか否かを判定する判定ステップと、
前記ディスプレーに表示中の前記映像コンテンツを前記乳幼児が見ていると判定すると、前記ディスプレーに表示中の前記映像コンテンツを前記乳幼児が見ている視聴時間をカウントする視聴時間カウントステップと、
前記視聴時間に基づいて、前記ディスプレーに表示中の前記映像コンテンツに対する前記乳幼児の興味度を評価する興味度評価ステップと
を含む、映像表示方法。
【請求項１３】
前記選択ステップにおいて、前記複数の映像コンテンツの中から前記興味度が高い前記映像コンテンツが選択される、請求項１２に記載の映像表示方法。
【請求項１４】
請求項１２又は請求項１３に記載の映像表示方法をコンピューターに実行させるための映像表示プログラム。
【発明の詳細な説明】
【技術分野】
【０００１】
本発明は、映像表示装置、映像表示方法、及び映像表示プログラムに関する。
【背景技術】
【０００２】
乳幼児をあやすための様々な技術が開発されている。例えば、特許文献１には、乳幼児をあやすことを目的とする映像コンテンツを出力する映像表示装置が開示されている。特許文献１に開示の映像表示装置は、マイクロフォンと、音響信号分析手段と、映像記憶手段と、映像表示手段と、映像選択手段と、出力映像判定手段とを有する。マイクロフォンは、周辺の音を収録する。音響信号分析手段は、マイクロフォンから入力された音響信号を分析して乳幼児の泣き声を検出する。映像記憶手段は、複数の映像コンテンツを保存する。映像選択手段は、映像記憶手段に保存された複数の映像コンテンツの中から映像コンテンツを選択する。映像表示手段は、映像選択手段によって選択された映像コンテンツを表示する。出力映像判定手段は、乳幼児が泣き止んだか否かを判定して映像コンテンツが乳幼児に適しているか否かを判定する。出力映像判定手段は、映像表示手段に表示している映像コンテンツが乳幼児に適していると判定した場合、映像表示手段に表示している映像コンテンツを維持し、映像表示手段に表示している映像コンテンツが乳幼児に適していないと判定した場合、映像表示手段が表示する映像コンテンツを切り替える。
【先行技術文献】
【特許文献】
【０００３】
【特許文献１】特開２００６−３２４７４２号公報
【発明の概要】
【発明が解決しようとする課題】
【０００４】
しかしながら、一般的に、乳幼児は興味があるものに目を向ける。したがって、特許文献１に開示の映像表示装置では、乳幼児が表示中の映像コンテンツ以外のものを見て泣き止んだ場合であっても、映像コンテンツが乳幼児に適していると評価される虞がある。この結果、映像コンテンツが乳幼児に適しているか否かが正確に評価でなくなる虞がある。
【０００５】
本発明は、上記課題に鑑み、映像コンテンツが乳幼児に適しているか否かをより正確に評価できる映像表示装置を提供することを目的とする。
【課題を解決するための手段】
【０００６】
本発明に係る映像表示装置は、カメラと、記憶部と、ディスプレーと、制御部とを備える。前記カメラは、乳幼児の顔画像を撮影して、前記顔画像を示す顔画像データを出力する。前記記憶部は、複数の映像コンテンツを示すデータを記憶する。前記ディスプレーは、前記複数の映像コンテンツのいずれかを表示する。前記制御部は、前記複数の映像コンテンツの中から、前記ディスプレーに表示させる前記映像コンテンツを選択する。前記制御部は、選択した前記映像コンテンツを前記ディスプレーに表示させる。前記制御部は、前記ディスプレーに前記映像コンテンツを表示させると、前記顔画像データに含まれる前記乳幼児の目線を示すデータを取得する。前記制御部は、前記乳幼児の目線を示すデータに基づいて前記ディスプレーに表示中の前記映像コンテンツを前記乳幼児が見ているか否かを判定する。前記制御部は、前記ディスプレーに表示中の前記映像コンテンツを前記乳幼児が見ていると判定すると、前記ディスプレーに表示中の前記映像コンテンツを前記乳幼児が見ている視聴時間をカウントする。前記制御部は、前記視聴時間に基づいて、前記ディスプレーに表示中の前記映像コンテンツに対する前記乳幼児の興味度を評価する。
【０００７】
本発明に係る映像表示方法は、顔画像取得ステップと、選択ステップと、表示ステップと、評価ステップとを含む。前記顔画像取得ステップにおいて、乳幼児の顔画像が撮影され、前記顔画像を示す顔画像データが取得される。前記選択ステップにおいて、複数の映像コンテンツの中からディスプレーに表示させる前記映像コンテンツが選択される。前記表示ステップにおいて、選択された前記映像コンテンツが前記ディスプレーに表示される。前記評価ステップにおいて、前記ディスプレーに表示された前記映像コンテンツが評価される。前記評価ステップは、目線取得ステップと、判定ステップと、視聴時間カウントステップと、興味度評価ステップとを含む。前記目線取得ステップにおいて、前記顔画像データに含まれる前記乳幼児の目線を示すデータが取得される。前記判定ステップにおいて、前記乳幼児の目線を示すデータに基づいて前記ディスプレーに表示中の前記映像コンテンツを前記乳幼児が見ているか否かが判定される。前記視聴時間カウントステップにおいて、前記ディスプレーに表示中の前記映像コンテンツを前記乳幼児が見ていると判定されると、前記ディスプレーに表示中の前記映像コンテンツを前記乳幼児が見ている視聴時間がカウントされる。興味度評価ステップにおいて、前記視聴時間に基づいて、前記ディスプレーに表示中の前記映像コンテンツに対する前記乳幼児の興味度が評価される。
【０００８】
本発明に係る映像表示プログラムは、上記の映像表示方法をコンピューターに実行させる。
【発明の効果】
【０００９】
本発明によれば、映像コンテンツが乳幼児に適しているか否かがより正確に評価できる。
【図面の簡単な説明】
【００１０】
【図１】本発明の実施形態に係る映像表示装置の構成を示すブロック図である。
【図２】本発明の実施形態に係る映像表示処理を示すフローチャートである。
【図３】本発明の実施形態に係る第１評価処理を示すフローチャートである。
【図４】本発明の実施形態に係る第２評価処理を示すフローチャートである。
【図５】本発明の実施形態に係る第２評価処理の他例を示すフローチャートである。
【図６】本発明の実施形態に係る第１コンテンツ選択処理を示すフローチャートである。
【図７】本発明の実施形態に係る第２コンテンツ選択処理を示すフローチャートである。
【図８】本発明の実施形態に係る第３コンテンツ選択処理を示すフローチャートである。
【発明を実施するための形態】
【００１１】
以下、図面を参照して、本発明に係る映像表示装置、映像表示方法、及び映像表示プログラムの実施形態について説明する。なお、図中、同一又は相当部分については同一の参照符号を付して説明を繰り返さない。
【００１２】
まず、図１を参照して、本発明の実施形態に係る映像表示装置１００の構成について説明する。図１は、本実施形態に係る映像表示装置１００の構成を示すブロック図である。映像表示装置１００は、映像コンテンツを表示する。また、映像表示装置１００は、表示中の映像コンテンツの評価を行う。本実施形態において、映像表示装置１００は、例えば、タブレットパソコンのような携帯端末である。
【００１３】
図１に示すように、映像表示装置１００は、収集部２、タッチパネル３、スピーカー４、時刻管理部５、記憶部９、及び制御部１０を備える。
【００１４】
収集部２は、乳幼児に関する情報を収集する。収集部２は、カメラ２１、及びマイクロフォン２２を有する。
【００１５】
カメラ２１は、乳幼児の顔画像を撮影して、顔画像を示す顔画像データを出力する。カメラ２１は、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサーのような撮像素子を含む。
【００１６】
マイクロフォン２２は、周囲で発生する音を収集し、収集した音を示すデータを出力する。以下、音を示すデータを「音データ」と記載する場合がある。
【００１７】
タッチパネル３は、ディスプレー３１、及びタッチセンサー３２を有する。
【００１８】
ディスプレー３１は、各種画面を表示する。ディスプレー３１は、例えば、液晶ディスプレーである。なお、ディスプレー３１は、液晶ディスプレーに限定されない。ディスプレー３１は、例えば、有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）であってもよい。
【００１９】
タッチセンサー３２は、ユーザーによる指示を受け付けて、ユーザーによる指示を示す信号を出力する。タッチセンサー３２は、例えば、抵抗膜方式のタッチセンサーである。なお、タッチセンサー３２は、抵抗膜方式のタッチセンサーに限定されない。タッチセンサー３２は、例えば、静電容量方式のタッチセンサーである。
【００２０】
スピーカー４は、制御部１０から出力される信号に基づいて音を出力する。
【００２１】
時刻管理部５は、現在時刻を示す信号を出力する。時刻管理部５は、例えば、内部時計を含む。
【００２２】
記憶部９は、各種のデータを記憶する。記憶部９は、ストレージデバイス及び半導体メモリーによって構成される。ストレージデバイスは、例えば、ＨＤＤ（Ｈａｒｄ  Ｄｉｓｋ  Ｄｒｉｖｅ）及び／又はＳＳＤ（Ｓｏｌｉｄ  Ｓｔａｔｅ  Ｄｒｉｖｅ）によって構成される。半導体メモリーは、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を構成する。記憶部９は、映像表示プログラムを記憶する。
【００２３】
記憶部９は、複数の映像コンテンツ９１１を示すデータを記憶する。映像コンテンツ９１１は、例えば、アニメのような動画である。アニメは、例えば、乳幼児向けのアニメである。
【００２４】
本実施形態において、記憶部９は、コンテンツ管理テーブル９１を記憶する。コンテンツ管理テーブル９１は、複数の映像コンテンツ９１１の各々を示すデータと当該映像コンテンツ９１１の尺時間９１２を示すデータとを関連付けて記憶する。尺時間９１２は、映像コンテンツ９１１の長さを示す。具体的には、尺時間９１２は、タッチパネル３に映像コンテンツ９１１の表示が開始されてから終了するまでに要する時間を示す。
【００２５】
制御部１０は、ＣＰＵ（Ｃｅｎｔｒａｌ  Ｐｒｏｃｅｓｓｉｎｇ  Ｕｎｉｔ）のようなプロセッサーによって構成される。制御部１０は、記憶部９に記憶された制御プログラムを実行することにより、映像表示装置１００の各部の動作を制御する。制御部１０は、記憶部９に記憶された映像表示プログラムを実行することにより、映像表示処理を開始する。本実施形態において、制御部１０は、映像表示装置１００が起動すると映像表示プログラムを実行する。映像表示処理において、制御部１０は、収集部２が出力したデータに基づいて、乳幼児の状態を取得する。乳幼児の状態は、例えば、乳幼児が泣いている状態、あるいは、乳幼児が睡眠している状態を含む。制御部１０は、例えば、カメラ２１から出力される顔画像データを解析することにより乳幼児の目線を取得する。また、制御部１０は、マイクロフォン２２から出力される音声データを解析することにより、乳幼児の泣き声を検知する。
【００２６】
次に、図１及び図２を参照して、本実施形態に係る映像表示処理について説明する。図２は、本実施形態に係る映像表示処理を示すフローチャートである。
【００２７】
図２に示すように、制御部１０は、カメラ２１から出力される顔画像データに基づいて、顔画像を取得する（ステップＳ１０１）。詳しくは、制御部１０は、カメラ２１の動作を制御することにより、乳幼児の顔画像の撮像を開始させる。制御部１０は、カメラ２１から出力される顔画像データを受信することにより、顔画像を取得する。
【００２８】
次いで、制御部１０は、選択処理を実行する（ステップＳ１０２）、詳しくは、制御部１０は、複数の映像コンテンツ９１１の中からタッチパネル３に表示させる映像コンテンツ９１１を選択する。選択処理は、第１コンテンツ選択処理、第２コンテンツ選択処理、及び第３コンテンツ選択処理を含む。
【００２９】
第１コンテンツ選択処理では、制御部１０は、乳幼児の泣き声を検知してからの経過時間が第１泣き時間閾値９２１以上になると、複数の映像コンテンツ９１１の中からタッチパネル３に表示させる映像コンテンツ９１１を選択する。第１コンテンツ選択処理については、図６を参照して説明する。なお、第１泣き時間閾値９２１を示すデータは、記憶部９に記憶される。
【００３０】
第２コンテンツ選択処理では、制御部１０は、現在時刻が乳幼児の就寝時刻９６になると、複数の映像コンテンツ９１１の中からタッチパネル３に表示させる映像コンテンツ９１１を選択する。第２コンテンツ選択処理については、図７を参照して説明する。なお、就寝時刻９６を示すデータは、記憶部９に記憶される。
【００３１】
第３コンテンツ選択処理では、制御部１０は、乳幼児が覚醒すると、複数の映像コンテンツ９１１の中からタッチパネル３に表示させる映像コンテンツ９１１を選択する。第３コンテンツ選択処理については、図８を参照して説明する。
【００３２】
制御部１０は、映像コンテンツ９１１を選択すると、選択した映像コンテンツ９１１をタッチパネル３に表示させて（ステップＳ１０３）、タッチパネル３に表示された映像コンテンツ９１１に対する評価処理を実行する（ステップＳ１０４）。制御部１０は、タッチパネル３に表示された映像コンテンツ９１１に対する評価処理が完了すると、映像表示処理は、ステップＳ１０２へ戻る。なお、映像表示プログラムは、例えば、ユーザーがタッチパネル３を操作することによって、映像表示プログラムの終了を指示する信号を制御部１０が受信すると終了する。制御部１０は、映像表示プログラムの終了を指示する信号を受信すると、カメラ２１の動作を制御して、乳幼児の顔画像の撮像を終了させる。また、制御部１０は、タッチパネル３に映像コンテンツ９１１が表示中である場合、タッチパネル３の動作を制御して、映像コンテンツ９１１の表示を終了させる。
【００３３】
評価処理は、第１評価処理及び第２評価処理を含む。第１評価処理において、制御部１０は、タッチパネル３に表示中の映像コンテンツ９１１に対する乳幼児の興味がある度合いを評価する。以下、乳幼児の興味がある度合いを「興味度９１３」と記載する。第１評価処理については、図３を参照して後述する。
【００３４】
第２評価処理において、制御部１０は、タッチパネル３に表示中の映像コンテンツ９１１が乳幼児を入眠させやすい度合いを評価する。以下、乳幼児が入眠させやすい度合いを「入眠誘発度９１４」と記載する。入眠誘発度９１４は、乳幼児が映像コンテンツ９１１を見ることにより入眠しやすい度合いを示す。第２評価処理については、図４を参照して後述する。
【００３５】
次に、図１〜図３を参照して、本実施形態に係る第１評価処理について説明する。図３は、本実施形態に係る第１評価処理を示すフローチャートである。第１評価処理は、映像コンテンツ９１１がタッチパネル３に表示されると開始される。
【００３６】
図３に示すように、制御部１０は、カメラ２１から出力される顔画像データに基づいて乳幼児の目線を示すデータを取得する（ステップＳ２０１）。以下、乳幼児の目線を示すデータを「乳幼児の目線データ」と記載する。次いで、制御部１０は、乳幼児の目線データに基づいて、タッチパネル３に表示中の映像コンテンツ９１１を乳幼児が見ているか否かを判定する（ステップＳ２０２）。制御部１０は、タッチパネル３に表示中の映像コンテンツ９１１を乳幼児が見ていると判定すると（ステップＳ２０２；Ｙｅｓ）、視聴時間９３１をカウントアップして（ステップＳ２０３）、第１評価処理は、ステップＳ２０５へ進む。視聴時間９３１は、乳幼児がタッチパネル３に表示中の映像コンテンツ９１１を視聴している時間を示す。視聴時間９３１を示すデータは、記憶部９に記憶される。
【００３７】
一方、制御部１０は、タッチパネル３に表示中の映像コンテンツ９１１を乳幼児が見ていないと判定すると（ステップＳ２０２；Ｎｏ）、非視聴時間９３２をカウントアップして（ステップＳ２０４）、第１評価処理は、ステップＳ２０５へ進む。非視聴時間９３２は、タッチパネル３に表示中の映像コンテンツ９１１を乳幼児が見ていない時間を示す。非視聴時間９３２を示すデータは、記憶部９に記憶される。
【００３８】
ステップＳ２０５において、制御部１０は、タッチパネル３に表示中の映像コンテンツ９１１の表示が終了したか否かを判定する（ステップＳ２０５）。制御部１０がタッチパネル３に表示中の映像コンテンツ９１１の表示が終了していないと判定すると（ステップＳ２０５；Ｎｏ）、第１評価処理は、ステップＳ２０１へ戻る。
【００３９】
一方、制御部１０は、タッチパネル３に表示中の映像コンテンツ９１１の表示が終了したと判定すると（ステップＳ２０５；Ｙｅｓ）、記憶部９に記憶された視聴時間９３１を示すデータを取得する（ステップＳ２０６）。次いで、制御部１０は、視聴時間９３１を示すデータに基づいて、タッチパネル３に表示中の映像コンテンツ９１１に対する乳幼児の興味度９１３を評価する（ステップＳ２０７）。なお、視聴時間９３１を示すデータは、制御部１０が乳幼児の興味度９１３の評価を完了するとリセットされる。また、非視聴時間９３２を示すデータは、タッチパネル３に表示される映像コンテンツ９１１が切り替わるとリセットされる。
【００４０】
本実施形態において、制御部１０は、映像コンテンツ９１１の尺時間９１２と視聴時間９３１とに基づいて映像コンテンツ９１１に対する興味度９１３を評価する。詳しくは、映像コンテンツ９１１の尺時間９１２に対する視聴時間９３１の割合を算出することにより、映像コンテンツ９１１に対する興味度９１３を評価する。以下、映像コンテンツ９１１の尺時間９１２に対する視聴時間９３１の割合を「視聴割合」と記載する。
【００４１】
制御部１０は、視聴割合が高い程、映像コンテンツ９１１に対する乳幼児の興味度９１３を高く評価する。換言すると、制御部１０は、視聴割合が低い程、映像コンテンツ９１１に対する乳幼児の興味度９１３を低く評価する。
【００４２】
制御部１０は、例えば、興味度９１３を５段階で示す。制御部１０は、例えば、視聴割合が２割未満である場合、興味度９１３が「１」であると評価し、視聴割合が２割以上４割未満である場合、興味度９１３が「２」であると評価する。また、視聴割合が４割以上６割未満である場合、興味度９１３が「３」であると評価し、視聴割合が６割以上８割未満である場合、興味度９１３が「４」であると評価する。また、視聴割合が８割以上である場合、興味度９１３が「５」であると評価する。なお、興味度９１３は、タッチパネル３に表示中の映像コンテンツ９１１に対する乳幼児の興味の度合を評価できればよく、５段階で評価する場合に限定されない。興味度９１３は、例えば、１０段階であってもよい。
【００４３】
制御部１０は、興味度９１３を評価すると、映像コンテンツ９１１を示すデータと関連付けて、興味度９１３を示すデータをコンテンツ管理テーブル９１に記憶させる（図１参照）。
【００４４】
以上、図１〜図３を参照して、本実施形態に係る第１評価処理について説明した。一般的に、乳幼児は、興味があるものに目を向ける。本実施形態の第１評価処理において、制御部１０は、乳幼児の目線データに基づいて、タッチパネル３に表示中の映像コンテンツ９１１を見ている視聴時間９３１を取得する。制御部１０は、視聴時間９３１に基づいてタッチパネル３に表示中の映像コンテンツ９１１に対する乳幼児の興味度９１３を評価する。したがって、制御部１０は、映像コンテンツ９１１に対する乳幼児の興味度９１３をより正確に評価できる。
【００４５】
また、制御部１０は、視聴割合に基づいて映像コンテンツ９１１に対する興味度９１３を評価する。視聴割合は、映像コンテンツ９１１の尺時間９１２に対する視聴時間９３１の割合を示す。したがって、映像コンテンツ９１１に対する興味度９１３をより正確に評価できる。
【００４６】
また、制御部１０は、視聴割合が高い程、映像コンテンツ９１１に対する乳幼児の興味度９１３を高く評価する。したがって、映像コンテンツ９１１に対する乳幼児の興味度９１３をより正確に評価できる。
【００４７】
なお、本実施形態において、制御部１０は、映像コンテンツ９１１の表示が終了した後（図３のステップＳ２０５；Ｙｅｓ）に、視聴時間９３１を取得し（ステップＳ２０６）、興味度９１３を評価したが（ステップＳ２０７）、制御部１０は、タッチパネル３に映像コンテンツ９１１を表示中に興味度９１３を評価してもよい。詳しくは、視聴時間９３１をカウントアップするごとに（ステップＳ２０３）、視聴時間９３１を取得し、興味度９１３を評価してもよい。この場合、制御部１０は、表示時間９３３と視聴時間９３１との割合を視聴割合として算出し、映像コンテンツ９１１に対する乳幼児の興味度９１３を評価する。表示時間９３３は、映像コンテンツ９１１の表示を開始してからの経過時間を示す。表示時間９３３を示すデータは、記憶部９に記憶される。したがって、制御部１０は、タッチパネル３の表示中に映像コンテンツ９１１に対する評価を動的に行うことができる。換言すると、制御部１０は、タッチパネル３に表示された映像コンテンツ９１１の表示が終了することを待つことなく、タッチパネル３の表示中に映像コンテンツ９１１に対する評価することができる。
【００４８】
また、制御部１０は、記憶部９に記憶された非視聴時間９３２を示すデータを取得し、非視聴時間９３２が第１停止閾値９４１以上であるか否かを判定してもよい。制御部１０は、非視聴時間９３２が第１停止閾値９４１以上であると判定すると、タッチパネル３に表示中の映像コンテンツ９１１の表示を停止させてもよい。あるいは、制御部１０は、視聴割合が第２停止閾値９４２未満であるか否かを判定し、視聴割合が第２停止閾値９４２未満になると、タッチパネル３に表示中の映像コンテンツ９１１の表示を停止させてもよい。非視聴時間９３２が第１停止閾値９４１以上である場合、又は、視聴割合が第２停止閾値９４２未満である場合、乳幼児は、タッチパネル３に表示中の映像コンテンツ９１１に対する興味がない可能性が高い。したがって、映像コンテンツ９１１の表示を停止させることにより、無駄な電力が消費されることが抑制される。なお、第１停止閾値９４１及び第２停止閾値９４２は、例えば、乳幼児の世話人がタッチパネル３を操作することにより設定される。乳幼児の世話人は、例えば、乳幼児の保護者などである。第１停止閾値９４１が設定されることにより、第１停止閾値９４１を示すデータが記憶部９に記憶され、第２停止閾値９４２が設定されることにより、第２停止閾値９４２を示すデータが記憶部９に記憶される。
【００４９】
また、本実施形態において、非視聴時間９３２を示すデータが記憶部９に記憶されたが、非視聴時間９３２を示すデータは、記憶部９に記憶されなくてもよい。制御部１０は、表示時間９３３と視聴時間９３１とに基づいて非視聴時間９３２を取得してもよい。
【００５０】
続いて、図１〜図４を参照して、本実施形態に係る第２評価処理について説明する。図４は、本実施形態に係る第２評価処理を示すフローチャートである。
【００５１】
図４に示すように、制御部１０は、顔画像データに含まれる乳幼児の目線を示すデータを取得する（ステップＳ３０１）。次いで、制御部１０は、乳幼児の目線を示すデータに基づいて乳幼児が入眠したか否かを判定する（ステップＳ３０２）。乳幼児が入眠していないと制御部１０が判定すると（ステップＳ３０２；Ｎｏ）、第２評価処理は、ステップＳ３０１へ戻る。一方、制御部１０は、乳幼児が入眠したと判定すると（ステップＳ３０２；Ｙｅｓ）、入眠所要時間９３４を算出する（ステップＳ３０３）。詳しくは、制御部１０は、乳幼児が入眠した時点で表示されていた映像コンテンツ９１１の表示を開始してから乳幼児が入眠したと判定するまでの経過時間を算出することにより、入眠所要時間９３４を取得する。入眠所要時間９３４を示すデータは、記憶部９に記憶される。入眠所要時間９３４は、タッチパネル３に表示される映像コンテンツ９１１が変わる度にリセットされる。なお、制御部１０は、乳幼児が入眠したと判定すると、時刻管理部５が出力する現在時刻を示すデータを、入眠時刻９５を示すデータとして記憶部９に記憶させる。入眠時刻９５を示すデータは、乳幼児が入眠する度に更新される。入眠時刻９５は、乳幼児が入眠した時刻を示す。
【００５２】
次いで、制御部１０は、入眠所要時間９３４に基づいて、タッチパネル３に表示中の映像コンテンツ９１１の乳幼児に対する入眠誘発度９１４を評価する（ステップＳ３０４）。制御部１０が、入眠誘発度９１４を評価することにより、第２評価処理が終了する。
【００５３】
制御部１０は、入眠所要時間９３４が短い程、映像コンテンツ９１１の入眠誘発度９１４が高いと評価する。
【００５４】
制御部１０は、例えば、入眠誘発度９１４を５段階で示す。制御部１０は、例えば、タッチパネル３に表示中の映像コンテンツ９１１の尺時間９１２と、入眠所要時間９３４との割合に基づいて入眠誘発度９１４を評価する。具体的には、制御部１０は、映像コンテンツ９１１の尺時間９１２に対する入眠所要時間９３４の割合に基づいて入眠誘発度９１４を評価する。以下、映像コンテンツ９１１の尺時間９１２に対する入眠所要時間９３４の割合を「入眠所要割合」と記載する。
【００５５】
制御部１０は、例えば、入眠所要割合が２割未満である場合、入眠誘発度９１４が「５」であると評価し、入眠所要割合が２割以上４割未満である場合、入眠誘発度９１４が「４」であると評価する。また、入眠所要割合が４割以上６割未満である場合、入眠誘発度９１４が「３」であると評価し、入眠所要割合が６割以上８割未満である場合、入眠誘発度９１４が「２」であると評価する。また、入眠所要割合が８割以上である場合、入眠誘発度９１４が「１」であると評価する。なお、入眠誘発度９１４は、タッチパネル３に表示中の映像コンテンツ９１１による乳幼児の入眠誘発の度合を評価できればよく、５段階で評価する場合に限定されない。入眠誘発度９１４は、例えば、１０段階であってもよい。
【００５６】
制御部１０は、入眠誘発度９１４を評価すると、入眠誘発度９１４を示すデータと、映像コンテンツ９１１を示すデータと関連付けてコンテンツ管理テーブル９１に記憶させる（図１参照）。
【００５７】
以上、図１〜図４を参照して、本実施形態に係る第２評価処理について説明した。本実施形態の第２評価処理によれば、制御部１０は、乳幼児の目線を示すデータに基づいて、乳幼児が入眠したか否かを判定する。制御部１０は、乳幼児が入眠したと判定すると、入眠所要時間９３４を取得する。制御部１０は、入眠所要時間９３４に基づいて入眠誘発度９１４を評価する。入眠所要時間９３４は、タッチパネル３に映像コンテンツ９１１の表示を開始してから入眠したと判定するまでの経過時間である。したがって、制御部１０は、映像コンテンツ９１１の乳幼児に対する入眠誘発度９１４をより正確に評価できる。
【００５８】
また、本実施形態において、制御部１０は、映像コンテンツ９１１の尺時間９１２に対する入眠所要時間９３４の割合に基づいて入眠誘発度９１４を評価する。したがって、制御部１０は、映像コンテンツ９１１の入眠誘発度９１４をより正確に評価できる。
【００５９】
なお、制御部１０は、入眠時刻９５と乳幼児の就寝時刻９６との比較に基づいて入眠誘発度９１４を評価してもよい。就寝時刻９６は、例えば、乳幼児の世話人がタッチパネル３を操作することにより設定される。乳幼児の世話人は、例えば、乳幼児が平常時に就寝する時刻を就寝時刻９６として設定する。乳幼児の世話人は、例えば、乳幼児が８時間の間隔で睡眠する場合、３回分の就寝時刻９６を設定する。乳幼児の世話人は、例えば、「１０：００」、「１６：００」、及び「２１：３０」を就寝時刻９６として設定する。就寝時刻９６が設定されると、就寝時刻９６を示すデータが記憶部９に記憶される。
【００６０】
図５は、本実施形態に係る第２評価処理の他例を示すフローチャートである。図５に示すように、制御部１０は、入眠所要時間９３４を取得すると（ステップＳ３０３）、時間差を取得する（ステップＳ４０１）。詳しくは、制御部１０は、就寝時刻９６のうち、入眠時刻９５に最も近い就寝時刻９６との時間差を算出する。次いで、制御部１０は、時間差に基づいて入眠誘発度９１４を評価する（ステップＳ３０４）。なお、ステップＳ４０１とステップＳ３０３とは相互に入れ替え可能である。
【００６１】
制御部１０は、時間差が大きい程、入眠誘発度９１４を高く評価する。即ち、制御部１０は、入眠時刻９５が就寝時刻９６から離れているほど、入眠誘発度９１４を高く評価する。具体的には、制御部１０は、時間差が３０分である場合よりも、時間差が６０分である場合のほうが入眠誘発度９１４を高く評価する。これにより、映像コンテンツ９１１の入眠誘発度９１４をより正確に評価できる。
【００６２】
また、制御部１０は、例えば、乳幼児が入眠する間隔に対する時間差の割合に基づいて入眠誘発度９１４を評価してもよい。具体的には、制御部１０は、ステップＳ３０４で評価した入眠誘発度９１４に、乳幼児が入眠する間隔に対する時間差の割合を乗算することにより入眠誘発度９１４を評価してもよい。
【００６３】
続いて、図１〜図６を参照して、本実施形態に係る第１コンテンツ選択処理について説明する。図６は、本実施形態に係る第１コンテンツ選択処理を示すフローチャートである。制御部１０が、マイクロフォン２２から出力されるデータに基づいて、乳幼児の泣き声を検知すると開始される。
【００６４】
図６に示すように、制御部１０は、マイクロフォン２２から出力されるデータに基づいて、乳幼児の泣き声を検知する（ステップＳ５０１）。制御部１０は、乳幼児の第１泣き時間が第１泣き時間閾値９２１以上になるまで待機する（ステップＳ５０１；Ｎｏ）。第１泣き時間は、制御部１０が乳幼児の泣き声を検知してからの経過時間を示す。第１泣き時間閾値９２１は、例えば、乳幼児の世話人がタッチパネル３を操作することにより設定される。第１泣き時間閾値９２１が設定されることにより、第１泣き時間閾値９２１を示すデータが記憶部９に記憶される。第１泣き時間閾値９２１は、例えば、１分である。なお、制御部１０は、例えば、乳幼児の泣き声が所定期間以上途切れると、第１泣き時間をリセットする。制御部１０は、乳幼児の第１泣き時間が第１泣き時間閾値９２１以上であると判定すると（ステップＳ５０１；Ｙｅｓ）、複数の映像コンテンツ９１１の中からタッチパネル３に表示させる映像コンテンツ９１１を選択して（ステップＳ５０２）、第１コンテンツ選択処理を終了する。
【００６５】
また、本実施形態において、制御部１０は、複数の映像コンテンツ９１１の中から興味度９１３の高い順に、タッチパネル３に表示させる映像コンテンツ９１１を選択する。これにより、乳幼児を効果的にあやすことができる。なお、制御部１０は、興味度９１３が第１基準値９８１よりも高い映像コンテンツ９１１が複数である場合、興味度９１３が第１基準値９８１よりも高い映像コンテンツ９１１の中からランダムに選択してもよい。第１基準値９８１は、例えば、乳幼児の世話人によって設定される。第１基準値９８１が設定されることにより、第１基準値９８１を示すデータが記憶部９に記憶される。
【００６６】
なお、乳幼児は、おむつの交換が必要な場合又は空腹になった場合、泣くことにより、乳幼児の世話人にその旨を伝えようとする。この場合、タッチパネル３に映像コンテンツ９１１を表示させても乳幼児は泣き止まない。したがって、制御部１０は、タッチパネル３に映像コンテンツ９１１を表示させてからの第２泣き時間が第２泣き時間閾値９２２よりも大きいか否かを判定する。制御部１０は、第２泣き時間が第２泣き時間閾値９２２よりも大きいと判定した場合、タッチパネル３に表示中の映像コンテンツ９１１の表示を停止させてもよい。第２泣き時間閾値９２２は、例えば、乳幼児の世話人がタッチパネル３を操作することにより設定される。第２泣き時間閾値９２２が設定されることにより、第２泣き時間閾値９２２を示すデータが記憶部９に記憶される。第２泣き時間閾値９２２は、第１泣き時間閾値９２１よりも長い時間が設定される。第２泣き時間閾値９２２は、例えば、３分である。
【００６７】
制御部１０は、タッチパネル３に表示中の映像コンテンツ９１１の表示を停止させる際、タッチパネル３の明るさを徐々に暗くしてもよい。あるいは、制御部１０は、スピーカー４の音量を徐々に小さくしてもよい。
【００６８】
次に、図１、図２、及び図７を参照して、本実施形態に係る第２コンテンツ選択処理について説明する。図７は、本実施形態に係る第２コンテンツ選択処理を示すフローチャートである。
【００６９】
図７に示すように、制御部１０は、時刻管理部５が出力する現在時刻と、就寝時刻９６と一致するか否か判定する。
【００７０】
制御部１０は、現在時刻が乳幼児の就寝時刻９６と一致するまで待機する（ステップＳ６０１；Ｎｏ）。一方、制御部１０は、現在時刻が乳幼児の就寝時刻９６と一致すると判定すると（ステップＳ６０１；Ｙｅｓ）、映像コンテンツ９１１がタッチパネル３に表示されているか否かを判定する（ステップＳ６０２）。制御部１０は、タッチパネル３に映像コンテンツ９１１が表示されていないと判定すると（ステップＳ６０２；Ｎｏ）、第２コンテンツ選択処理を終了する。
【００７１】
一方、制御部１０は、タッチパネル３に映像コンテンツ９１１が表示されている判定すると（ステップＳ６０２；Ｙｅｓ）、複数の映像コンテンツ９１１の中から、タッチパネル３に表示中の映像コンテンツ９１１よりも入眠誘発度９１４の高い映像コンテンツ９１１を選択して（ステップＳ６０３）、第２コンテンツ選択処理を終了する。制御部１０は、例えば、タッチパネル３に表示中の映像コンテンツ９１１よりも入眠誘発度９１４の高い映像コンテンツ９１１が複数である場合、入眠誘発度９１４の高い映像コンテンツ９１１から順に選択する。あるいは、制御部１０は、タッチパネル３に表示中の映像コンテンツ９１１よりも入眠誘発度９１４の高い映像コンテンツ９１１の中からランダムに映像コンテンツ９１１を選択する。制御部１０は、選択した映像コンテンツ９１１をタッチパネル３に表示させる（図２のステップＳ１０３）。
【００７２】
以上、図１、図２、及び図７を参照して、本実施形態に係る第２コンテンツ選択処理について説明した。本実施形態の第２コンテンツ選択処理によれば、制御部１０は、就寝時刻９６になると、タッチパネル３に表示中の映像コンテンツ９１１よりも入眠誘発度９１４の高い映像コンテンツ９１１を選択する。そして、制御部１０は、選択した映像コンテンツ９１１をタッチパネル３に表示させる。したがって、乳幼児を入眠するように促すことができる。これにより、乳幼児の世話人の労力を削減することができる。
【００７３】
なお、制御部１０は、乳幼児の入眠を促す際に、タッチパネル３の明るさを徐々に暗くしてもよい。あるいは、制御部１０は、乳幼児の入眠を促す際に、スピーカー４の音量を徐々に小さくしてもよい。
【００７４】
続いて、図１、図２、図４、及び図８を参照して、本実施形態に係る第３コンテンツ選択処理について説明する。図８は、本実施形態に係る第３コンテンツ選択処理を示すフローチャートである。第３コンテンツ選択処理は、タッチパネル３に映像コンテンツ９１１を表示中に乳幼児が入眠したと制御部１０が判定すると開始される（図４のステップＳ３０２）。
【００７５】
図８に示すように、制御部１０は、乳幼児が覚醒した否かを判定する（ステップＳ７０１）。制御部１０は、乳幼児が覚醒するまで待機する（ステップＳ７０１；Ｎｏ）。一方、制御部１０は、乳幼児が覚醒したと判定すると（ステップＳ７０１；Ｙｅｓ）、第１睡眠時間９７１及び第２睡眠時間９７２を取得する（ステップＳ７０３）。第１睡眠時間９７１は、例えば、乳幼児の世話人がタッチパネル３を操作することにより設定される。乳幼児の世話人は、例えば、乳幼児の平常時の睡眠時間を設定する。第１睡眠時間９７１が設定されることにより、第１睡眠時間９７１を示すデータが記憶部９に記憶される。第２睡眠時間９７２は、乳幼児が入眠してから覚醒するまでの睡眠時間を示す。換言すると、第２睡眠時間９７２は、直近の乳幼児の睡眠時間を示す。制御部１０は、現在時刻を示すデータと記憶部９に記憶された入眠時刻９５を示すデータとの差分時間を取得することにより、第２睡眠時間９７２を取得する。次いで、制御部１０は、第２睡眠時間９７２が第１睡眠時間９７１未満であるか否かを判定する（ステップＳ７０３）。
【００７６】
制御部１０は、第２睡眠時間９７２が第１睡眠時間９７１未満であると判定すると（ステップＳ７０３；Ｙｅｓ）、入眠誘発度９１４が第１基準値９８１よりも高い映像コンテンツ９１１を選択して（ステップＳ７０４）、第３コンテンツ選択処理を終了する、制御部１０は、例えば、第１基準値９８１以上の映像コンテンツ９１１が複数である場合、第１基準値９８１以上の映像コンテンツ９１１をランダムに選択する。あるいは、制御部１０は、第１基準値９８１以上の映像コンテンツ９１１を入眠誘発度９１４が高い順に選択する。一方、制御部１０は、第２睡眠時間９７２が第１睡眠時間９７１未満ではない、即ち、第２睡眠時間９７２が第１睡眠時間９７１以上であると判定すると（ステップＳ７０３；Ｎｏ）、興味度９１３が第２基準値９８２よりも高い映像コンテンツ９１１を選択して（ステップＳ７０５）、第３コンテンツ選択処理を終了する。制御部１０は、第２基準値９８２以上の映像コンテンツ９１１が複数である場合、興味度９１３が第２基準値９８２以上の映像コンテンツ９１１をランダムに選択する。あるいは、制御部１０は、興味度９１３が第２基準値９８２以上の映像コンテンツ９１１を興味度９１３が高い順に選択する。第２基準値９８２は、乳幼児の世話人がタッチパネル３を操作することによって設定される。第２基準値９８２が設定されることにより、第２基準値９８２を示すデータが記憶部９に記憶される。
【００７７】
制御部１０は、選択した映像コンテンツ９１１をタッチパネル３に表示させる（図２のステップＳ１０３）。
【００７８】
以上、図１〜図８を参照して、本実施形態に係る第３コンテンツ選択処理について説明した。本実施形態の第３コンテンツ選択処理によれば、制御部１０は、乳幼児の睡眠時間に応じて、乳幼児が覚醒した際にタッチパネル３に表示させる映像コンテンツ９１１を選択する。詳しくは、制御部１０は、第２睡眠時間９７２が第１睡眠時間９７１未満であると判定すると、入眠誘発度９１４の高い映像コンテンツ９１１を選択し、第２睡眠時間９７２が第１睡眠時間９７１未満ではないと判定すると、興味度９１３の高い映像コンテンツ９１１を選択する。したがって、乳幼児の状態に応じて最適な映像コンテンツ９１１が選択されて、タッチパネル３に表示される。よって、乳幼児の機嫌を損なうことが抑制される。
【００７９】
以上、本実施形態について説明した。本実施形態によれば、映像コンテンツ９１１をより正確に評価できる。
【００８０】
なお、本実施形態の第１コンテンツ選択処理において、制御部１０は、乳幼児の泣き声を検知してからの経過時間が第１泣き時間閾値９２１以上であると判定すると乳幼児が泣いていると判定したが、制御部１０は、制御部１０が乳幼児の泣き声を検知すると、乳幼児が泣いていると判定してもよい。
【００８１】
また、本実施形態において、就寝時刻９６が乳幼児の世話人によって設定されたが、就寝時刻９６は、制御部１０が、目線データに基づいて、乳幼児の就寝時刻９６を毎日取得することにより設定されてもよい。
【００８２】
また、本実施形態において、第１睡眠時間９７１が乳幼児の世話人によって設定されたが、第１睡眠時間９７１は、制御部１０が、乳幼児が眠る時刻と、乳幼児が覚醒する時刻とを毎日取得することにより設定されてもよい。
【００８３】
また、本実施形態において、時刻管理部５が、内部時計が示す現在時刻を示す信号を出力する場合を説明したが、例えば、時刻管理部５は、映像表示装置１００が備える通信部を介して、外部に接続するタイムサーバーから現在時刻を取得してもよい。通信部は、ＬＡＮ（Ｌｏｃａｌ  Ａｒｅａ  Ｎｅｔｗｏｒｋ）のようなネットワークに接続する。通信部は、例えば、ネットワークアダプターである。
【００８４】
以上、本発明の実施形態について、図面（図１〜図８）を参照しながら説明した。但し、本発明は、上記の実施形態に限られるものではなく、その要旨を逸脱しない範囲で種々の態様において実施することが可能である。また、上記の実施形態で示す数値は、一例であって特に限定されるものではなく、本発明の効果から実質的に逸脱しない範囲で種々の変更が可能である。
【００８５】
例えば、本発明の実施形態では、タブレットパソコンのような携帯端末に本発明が適用される場合を例に説明したが、本発明は、パーソナルコンピューターのような携帯端末以外の情報処理装置にも適用可能である。
【産業上の利用可能性】
【００８６】
本発明は、例えば、育児の分野に有用である。
【符号の説明】
【００８７】
９          記憶部
１０        制御部
２１        カメラ
３１        ディスプレー
１００      映像表示装置
【図１】
2020118833.tif 000003
【図２】
2020118833.tif 000004
【図３】
2020118833.tif 000005
【図４】
2020118833.tif 000006
【図５】
2020118833.tif 000007
【図６】
2020118833.tif 000008
【図７】
2020118833.tif 000009
【図８】
2020118833.tif 000010